(57)【要約】      （修正有）【課題】作業性の悪化およびコストアップを招来することがなく、映像データを不正に取得することを困難とする基板ユニットの取り付け構造を提供する。【解決手段】基板固定金具２０１と基板ユニットとの間の隙間を塞ぐ目隠し金具２０２の取り付け構造であって、基板固定金具２０１は、複数のねじ穴と、複数のねじ穴が露出するように切り欠かれた複数の収容部を備えた取り付け金具とを備える。目隠し金具２０２は、複数の収容部に収容され、複数のねじ穴と螺合するねじ４０５が挿通される貫通孔を有する複数の差込部を備える。複数の収容部の少なくとも２つは、収容する差込部を担持する曲げ部を有する。【選択図】図６Ｂ
2018198264.tif 000002
【特許請求の範囲】
【請求項１】
基板ユニットを挿抜自在に収容するスロットに取り付けられた基板固定金具への、前記基板固定金具と前記基板ユニットとの間の隙間を塞ぐ目隠し金具の取り付け構造であって、
前記基板固定金具は、
複数のねじ穴と、
前記複数のねじ穴が露出するように切り欠かれた複数の収容部を備えた取り付け金具と、を備え、
前記目隠し金具は、
前記複数の収容部に収容され、前記複数のねじ穴と螺合するねじが挿通される貫通孔を有する複数の差込部を備え、
前記複数の収容部の少なくとも２つは、収容する前記差込部を担持する曲げ部を有する、目隠し金具の取り付け構造。
【請求項２】
請求項１記載の目隠し金具の取り付け構造において、
前記複数の差込部の貫通孔には前記複数のねじのそれぞれが圧入されている、目隠し金具の取り付け構造。
【請求項３】
請求項１または請求項２記載の目隠し金具の取り付け構造において、
前記複数のねじはつまみ付きねじであり、つまみ部分の大きさは前記隙間よりも小さい、目隠し金具の取り付け構造。
【請求項４】
請求項１ないし請求項３のいずれかに記載の目隠し金具の取り付け構造において、
前記目隠し金具の前記基板ユニットと接する端辺は前記スロット内部に向けてＬ字状に折り曲げられ、
前記基板ユニットの前記目隠し金具と隣接する端辺は前記スロット内部に向けてＣ字状に折り曲げられている、目隠し金具の取り付け構造。
【請求項５】
請求項１ないし請求項４のいずれかに記載の目隠し金具の取り付け構造において、
前記基板ユニットが複数積層して前記スロットに収容される、目隠し金具の取り付け構造。
【請求項６】
基板ユニットを挿抜自在に収容するスロットに取り付けられた基板固定金具への、前記基板固定金具と前記基板ユニットとの間の隙間を塞ぐ目隠し金具の取り付け方法であって、
前記基板固定金具に、
複数のねじ穴と、
前記複数のねじ穴が露出するように切り欠かれた複数の収容部を備えた取り付け金具と、を設け、
前記目隠し金具に、
前記複数の収容部に収容され、前記複数のねじ穴と螺合するねじが挿通される貫通孔を有する複数の差込部を設け、
前記複数の収容部の少なくとも２つに曲げ部を設けて、収容する前記差込部を担持させる、目隠し金具の取り付け方法。
【発明の詳細な説明】
【技術分野】
【０００１】
本発明は、基板ユニットを挿抜自在に収容するスロットに取り付けられた基板固定金具への、前記基板固定金具と前記基板ユニットとの間の隙間を塞ぐ目隠し金具の取り付け構造および方法に関する。
【背景技術】
【０００２】
ＤＬＰ（Ｄｉｇｉｔａｌ  Ｌｉｇｈｔ  Ｐｒｏｃｅｓｓｉｎｇ）プロジェクタを用いたシステムでは、投写する映像データをサーバに蓄積させ、該サーバからプロジェクタに映像データを供給することが多く行われる。プロジェクタシステムの一つの形態として、サーバを設置していた空間を不要とするために、また、プロジェクタ自体にサーバ機能を持たせるためにインテグレーテッド・メディア・サーバ［以下、ＩＭＳ（Ｉｎｔｅｇｒａｔｅｄ  Ｍｅｄｉａ  Ｓｅｒｖｅｒ）と称する］を組み込んだシステムがある。
【０００３】
基板ユニットであるＩＭＳは、電子機器であるプロジェクタのスロットに挿抜自在に取り付けられる。この種の公知技術としては、ＷＯ２０１１／０５５４５４が挙げられる。
【先行技術文献】
【特許文献】
【０００４】
【特許文献１】ＷＯ２０１１／０５５４５４
【発明の概要】
【発明が解決しようとする課題】
【０００５】
基板ユニットはスロットの開口に挿入されて該スロットを備える電子機器に取り付けられる。通常、スロットの開口には複数の基板ユニットが挿抜可能とされるが、挿入される回路基板の数や回路基板の形状に応じてスロットの開口のすべてが塞がれず、隙間が生じることがある。
【０００６】
スロットの開口に隙間がある場合には、不具合発生の原因となる塵埃が侵入してしまう。また、映像データを扱うプロジェクタの場合には、映像データの入出力が行われる端子が露出することとなり、映像データが不正に取得されてしまう危険性が生じる。このため、スロットの開口の隙間は目隠し金具により塞ぐことが行われる。
【０００７】
スロットには、ＩＭＳの他に制御用基板が搭載される基板固定金具が取り付けられ、目隠し金具は基板固定金具に取り付けられる。目隠し金具を基板固定金具にリベットなどにより固定してしまうと、高さの異なるＩＭＳに交換する際、目隠し金具だけでなく基板固定金具も交換しなければならず、作業性の悪化やコストアップにつながってしまう。
【０００８】
本発明は、作業性の悪化およびコストアップを招来することがなく、映像データを不正に取得することを困難とする目隠し金具の取り付け構造および方法を実現する。
【課題を解決するための手段】
【０００９】
本発明による目隠し金具の取り付け構造は、基板ユニットを挿抜自在に収容するスロットに取り付けられた基板固定金具への、前記基板固定金具と前記基板ユニットとの間の隙間を塞ぐ目隠し金具の取り付け構造であって、
前記基板固定金具は、
複数のねじ穴と、
前記複数のねじ穴が露出するように切り欠かれた複数の収容部を備えた取り付け金具と、を備え、
前記目隠し金具は、
前記複数の収容部に収容され、前記複数のねじ穴と螺合するねじが挿通される貫通孔を有する複数の差込部を備え、
前記複数の収容部の少なくとも２つは、収容する前記差込部を担持する曲げ部を有する。
【００１０】
本発明による目隠し金具の取り付け方法は、基板ユニットを挿抜自在に収容するスロットに取り付けられた基板固定金具への、前記基板固定金具と前記基板ユニットとの間の隙間を塞ぐ目隠し金具の取り付け方法であって、
前記基板固定金具に、
複数のねじ穴と、
前記複数のねじ穴が露出するように切り欠かれた複数の収容部を備えた取り付け金具と、を設け、
前記目隠し金具に、
前記複数の収容部に収容され、前記複数のねじ穴と螺合するねじが挿通される貫通孔を有する複数の差込部を設け、
前記複数の収容部の少なくとも２つに曲げ部を設けて、収容する前記差込部を担持させる。
【発明の効果】
【００１１】
上記の構成を備える本発明においては、作業性の悪化およびコストアップを招来することがなく、映像データを不正に取得することを困難とする。
【図面の簡単な説明】
【００１２】
【図１】本発明による電子機器としてのプロジェクタの一実施形態の側面部の構成を示す斜視図である。
【図２】電気ボックス１０３の構成を示す分解斜視図である。
【図３】（ａ）は基板固定金具２０１の構造を示す斜視図、（ｂ）、（ｃ）は（ａ）中の一部の拡大図である。
【図４】（ａ）および（ｂ）は目隠し金具２０２の構造を示す斜視図および正面図である。
【図５】（ａ）は、スロット２０４への基板固定金具２０１、目隠し金具２０２、ＩＭＳ２０３の収容状態を示す断面図、（ｂ）は、目隠し金具２０２とＩＭＳ２０３の係止部分を拡大して示す断面図である。
【図６Ａ】本発明の実施形態の組み立て工程について説明するための図である。
【図６Ｂ】本発明の実施形態の組み立て工程について説明するための図である。
【図７】本発明の実施形態の組み立て工程について説明するための図である。
【発明を実施するための形態】
【００１３】
次に、本発明の実施形態について図面を参照して説明する。
【００１４】
図１は、本発明による電子機器としてのプロジェクタの一実施形態の側面部の構成を示す斜視図である。筐体１０１は光源１０２および電気ボックス１０３を収容し、パネル１０４は光源１０２および電気ボックス１０３を覆うように筐体１０１に取り付けられる。
【００１５】
図２は電気ボックス１０３の構成を示す分解斜視図である。スロット２０４に、基板固定金具２０１、目隠し金具２０２、ＩＭＳ２０３が収容される。基板固定金具２０１はスロット２０４の上部に取り付けられ、目隠し金具２０２は基板固定金具２０１とＩＭＳ２０３の間に取り付けられる。
【００１６】
図３（ａ）は基板固定金具２０１の構造を示す斜視図、図３（ｂ）、図３（ｃ）は図３（ａ）中の一部の拡大図、図４（ａ）および図４（ｂ）は目隠し金具２０２の構造を示す斜視図および正面図である。
【００１７】
図３（ａ）に示されるように、基板固定金具２０１には目隠し金具２０２を取り付けるための取付金具３０６が設けられている。また、図４（ａ）に示されるように、長方形の平板状の目隠し金具２０２の長辺を成す一端には平板面から略垂直方向に向けて突出する３つの差込部４０１〜４０３が設けられ、他端には他端に沿って延在する曲げ部４０４が設けられている。
【００１８】
取付金具３０６はリベットにより基板固定金具２０１の底面端部に固定されるもので、差込部４０１〜４０３を収容する収容部３０１〜３０３が設けられている。収容部３０１および収容部３０３には、図３（ｂ）および図３（ｃ）の拡大図に示すように、差込部４０１および差込部４０３を支持する曲げ部３０４および曲げ部３０５がそれぞれ設けられている。Ｌ字状に折り曲げられた曲げ部３０４，３０５は、先端部にて差込部４０１および差込部４０３を支持する。各差込部４０１〜４０３には、ねじ４０５が圧入された貫通孔が設けられている。収容部３０１〜３０３に対応する箇所の基板固定金具２０１には、ねじ穴３０７〜３０９が設けられており、収容部３０１〜３０３は、ねじ穴３０７〜３０９が露出するように切りかかれている。差込部４０１〜４０３が収容部３０１〜３０３に挿入された状態でねじ４０５がねじ穴３０７〜３０９と螺合することにより目隠し金具２０２は基板固定金具２０１と一体化される。
【００１９】
図４（ｂ）に示すように、ねじ４０５はつまみ付き螺子であり、その螺合方向は目隠し金具２０２の短辺方向である。ねじ穴３０７〜３０９との螺合時に外部に露出するねじ４０５のつまみの目隠し金具２０２の短辺方向に関する長さは、目隠し金具２０２の短辺の長さ、すなわち、基板固定金具２０１とＩＭＳ２０３との間の隙間よりも小さなものとされている。これにより、ＩＭＳ２０３のスロット２０４への収容時に、ねじ４０５のつまみは目隠し金具２０２により隠された状態となり、ねじ４０５のつまみが図２に示したＩＭＳ２０３のスロット２０４への収容の際の妨げになることはない。
【００２０】
図５（ａ）は、スロット２０４への基板固定金具２０１、目隠し金具２０２、ＩＭＳ２０３の収容状態を示す断面図、図５（ｂ）は、目隠し金具２０２とＩＭＳ２０３の係止部分を拡大して示す断面図である。
【００２１】
目隠し金具２０２の曲げ部４０４は、図５（ｂ）の拡大断面図に示されるように、スロット２０４内部に向けてＬ字状に折れ曲がっている。ＩＭＳ２０３の目隠し金具２０２と隣接するパネルの端部５０１は、曲げ部４０４により形成される空間に収容され、曲げ部４０４と同様にスロット２０４の内部に向けてＣ字状に折り曲げられている。曲げ部４０４と端部５０１が接することにより、目隠し金具２０２はＩＭＳ２０３により衝止され、目隠し金具２０２が移動することが妨げられている。
【００２２】
次に、上記の構成を備える本実施形態の組み立て工程について説明する。
【００２３】
図６Ａに示すように、スロット２０４に基板固定金具２０１を取り付け、その後、目隠し金具２０２を基板固定金具２０１に取り付ける。目隠し金具２０２の基板固定金具２０１への取り付けの際には、図３（ａ）に示した取付金具３０６の収容部３０１〜３０３に、図４（ａ）に示した目隠し金具２０２の差込部４０１〜４０３をそれぞれ差し込み、図６Ｂ（ａ）に示すように３ヶ所をねじ４０５によりねじ止めする。
【００２４】
この後、図７に示すように、ＩＭＳ２０３をスロット２０４に差し込み、２ヶ所をねじ７０１によりねじ止めする。
【００２５】
上記のように構成される本実施形態においては、基板固定金具２０１と目隠し金具２０２をねじ止めしていることで目隠し金具２０２単体の取り外しが可能になり、高さの異なるＩＭＳ２０３を取り付けることができる。
【００２６】
また、基板固定金具２０１、目隠し金具２０２、ＩＭＳ２０３の順に固定されるが、固定後はＩＭＳ２０３を取り外さないと目隠し金具２０２をねじ止めするねじ４０５にアクセスできないものとなっている。これにより、容易に目隠し金具２０２を取り外すことができないものとなっている。
【００２７】
目隠し金具２０２の基板固定金具２０１への取り付けの際には、取付金具３０６の収容部３０１〜３０３に、目隠し金具２０２の差込部４０１〜４０３をそれぞれ差し込み、ねじ４０５でねじ止めすることにより行われる。収容部３０１、３０３には、目隠し金具２０２を担持する図３（ｂ）、（ｃ）に示した曲げ部３０４、３０５が設けられていることにより、たとえねじ止めが行われなくても目隠し金具２０２が脱落することはない。
【００２８】
目隠し金具２０２を基板固定金具２０１にねじ止めする際に使用されるねじ４０５は、目隠し金具２０２の差込部４０１〜４０３に設けられた貫通孔に圧入されていて、目隠し金具２０２と一体とされている。これにより、ねじ止めがしやすくなり、作業性が向上している。
【００２９】
ＩＭＳ２０３のスロット２０４への収容時に、ねじ４０５のつまみは目隠し金具２０２により隠された状態となり、また、ねじ４０５のつまみが電気ボックス１０３の内部にあることにより、例えば、映像データを不正に取得しようとして筐体の分解を試みた場合であっても、目隠し金具２０２の取り付け構造を把握することを難しいものとし、容易に取り外せないものとなっている。
【００３０】
なお、実施形態として示したプロジェクタの電気的な構成および光学的な構成については特に説明を行わなかったが、これは本実施形態に関連する電気的および光学的に特有の構成がないためであり、プロジェクタとしては公知な技術により、本発明の構成を備えたプロジェクタを実現可能である。
【００３１】
基板ユニットとしてはＩＭＳを示したが、プロジェクタに使用される基板ユニットとしてはこのほかに、ＳＩＢ（Ｓｉｇｎａｌ  Ｉｎｐｕｔ  Ｂｏａｄ）、ＩＭＢ（Ｉｍａｇｅ  Ｍｅｄｉａ  Ｂｌｏｃｋ）が挙げられ、これらを複数同時にスロットに収容することとしてもよい。
【符号の説明】
【００３２】
１０１    筐体
１０２    光源
１０３    電気ボックス
１０４    パネル
２０１    基板固定金具
２０２    目隠し金具
２０３    ＩＭＳ
２０４    スロット
３０１〜３０３    収容部
３０４、３０５、４０４、５０１    曲げ部
３０６    取付金具
３０７〜３０９    ねじ穴
４０１〜４０３    差込部
４０５、７０１    ねじ
【図１】
2018198264.tif 000003
【図２】
2018198264.tif 000004
【図３】
2018198264.tif 000005
【図４】
2018198264.tif 000006
【図５】
2018198264.tif 000007
【図６Ａ】
2018198264.tif 000008
【図６Ｂ】
2018198264.tif 000009
【図７】
2018198264.tif 000010